(57)【要約】  【課題】コミュニケーションサイトにおいて、コミュニケーションサイト上でのプレゼントをより流通させ、仮想通貨であるポイントの使用量を向上させるとともに、利用者同士のコミュニケーションを推進する制御サーバ及び制御方法を提供する。  【解決手段】  本発明にかかる制御サーバは、端末機の利用者を識別する第１の利用者識別情報及び、第２の利用者識別情報との間の関係種別を示す関係種別情報を記憶し、第１の利用者が使用する端末機から、第２の利用者が使用する端末機に対するメッセージ情報が送信される際、第１の利用者識別情報と第２の利用者識別情報との間の関係種別情報が特定の関係種別を示すと判別した場合、又は、ギフト識別情報送信されていると判別した場合、第２の利用者識別情報で識別される利用者が使用する端末機に対して、メッセージ情報を送信する。  【選択図】  図１
2007213516.tif 000002
【特許請求の範囲】
【請求項１】
ネットワークを介して各端末機と接続し、各端末機の間で送受信されるメッセージ情報を制御する制御サーバであって、
前記端末機の第１の利用者を識別する第１の利用者識別情報と、前記第１の識別情報とは異なる第２の利用者を識別する第２の利用者識別情報との間の関係種別を示す関係種別情報を記憶する関係種別記憶部と、
前記第１の利用者が使用する前記端末機から、前記第２の利用者が使用する前記端末機に対するメッセージ情報が送信される際、前記関係種別記憶部を参照し、前記第１の利用者識別情報と第２の利用者識別情報との間の前記関係種別情報が特定の関係種別を示すか否かを判別する関係種別判別部と、
前記関係種別判別部において、前記第１の利用者識別情報と第２の利用者識別情報との間の前記関係種別情報が前記特定の関係種別を示さないと判別された場合、前記第1の利用者が使用する前記端末機から、ギフト情報を識別するギフト識別情報が送信されたか否かを判別するギフト判別部と、
前記関係判別部が、前記特定の関係種別を示すと判別した場合、又は、前記ギフト判別部が、前記ギフト識別情報が送信されたと判別した場合、前記第２の利用者識別情報で識別される利用者が使用する前記端末機に対して、前記メッセージ情報を送信する通信部と
を具備することを特徴とする制御サーバ。
【請求項２】
仮想通貨であるポイント情報と、前記第２の利用者識別情報とを関連付けて記憶するポイント記憶部と、
ギフト識別情報と、前記ギフト識別情報で識別されるギフト情報に対応するポイント情報とを関連付けて記憶するギフト記憶部と、
前記ギフト判別部において、前記第1の利用者が使用する前記端末機から、前記ギフト識別情報が送信される場合、
前記ギフト記憶部を参照して、前記ギフト識別情報に関連付けられるポイント情報を取得するとともに、前記ポイント記憶部で前記第２の利用者識別情報に関連付けられて記憶される前記ポイント情報を、取得したポイント情報に基づいて更新するポイント管理部とをさらに具備することを特徴とする請求項１に記載の制御サーバ。
【請求項３】
前記ポイント管理部は、前記通信部において前記第２の利用者が使用する前記端末機へ、前記ギフト識別情報を含む前記メッセージ情報が送信される場合、
前記ギフト記憶部を参照して、前記メッセージ情報に含まれる前記ギフト識別情報に関連付けられるポイント情報を取得するとともに、前記ポイント記憶部で前記第２の利用者識別情報に関連付けられて記憶される前記ポイント情報に、取得したポイント情報を加算して更新することを特徴とする請求項２に記載の制御サーバ。
【請求項４】
前記通信部は、前記第１の利用者が使用する前記端末機から、前記第１の利用者識別情報と前記第２の利用者識別情報との間の関係種別を、前記特定の関係種別を示す前記関係種別情報に変更を要求する関係種別要求情報と、前記関係種別要求情報に対する承諾を示す特定関係種別承諾情報とを受信し、
前記通信部で前記特定関係種別承諾情報が受信された場合、前記関係種別記憶部に記憶される前記第１の識別情報と前記第２の識別情報との間の前記関係種別情報を、前記特定の関係種別を示す前記関係種別情報に変更する関係種別更新部をさらに具備することを特徴とする請求項１に記載の制御サーバ。
【請求項５】
前記通信部は、前記第１の利用者が使用する前記端末機、又は、前記第２の利用者が使用する前記端末機から、前記特定の関係種別を解除する特定関係種別解除情報を受信し、
前記関係種別更新部は、前記通信部において前記特定関係種別解除情報が受信された場合、前記第１の利用者識別情報と前記第２の利用者識別情報との間の関係種別を示す前記関係種別識別情報を前記特定の関係種別以外に変更することを特徴とする請求項４に記載の制御サーバ。
【請求項６】
ネットワークを介して各端末機と接続し、各端末機の間で送受信されるメッセージ情報を制御する制御方法であって、
前記端末機の第１の利用者を識別する第１の利用者識別情報と、前記第１の識別情報とは異なる第２の利用者を識別する第２の利用者識別情報との間の関係種別を示す関係種別情報を記憶する関係種別記憶ステップと、
前記第１の利用者が使用する前記端末機から、前記第２の利用者が使用する前記端末機に対するメッセージ情報が送信される際、前記第１の利用者識別情報と第２の利用者識別情報との間の前記関係種別情報が特定の関係種別を示すか否かを判別する関係種別判別ステップと、
前記関係種別判別ステップにおいて、前記第１の利用者識別情報と第２の利用者識別情報との間の前記関係種別情報が前記特定の関係種別を示さないと判別された場合、前記第１の利用者が使用する前記端末機から、ギフト識別情報が送信されたか否かを判別するギフト判別ステップと、
前記関係判別ステップにおいて、前記特定の関係種別を示すと判別した場合、又は、前記ギフト判別ステップにおいて、前記ギフト識別情報が送信されたと判別した場合、前記第２の利用者識別情報で識別される利用者が使用する前記端末機に対して、前記メッセージ情報を送信する通信ステップと
を具備することを特徴とする制御方法。
【発明の詳細な説明】
【技術分野】
【０００１】
本発明は、ネットワークを介して各端末機と接続し、各端末機の間で送受信されるメッセージ情報を制御する制御サーバ及び制御方法に関する。
【背景技術】
【０００２】
近年、インターネットの利用した様々なサービスが提案されており、その一つとして、利用者同士のコミュニケーションを推進するコミュニケーションサイトが普及している。
【０００３】
かかるコミュニケーションサイトは、利用者自身のプロフィールや写真をインターネットに公開する機能や、利用者間でメッセージ情報を送受信する機能等を備えている。
【０００４】
よって、かかるコミュニケーションサイトでは、利用者が、公開される他の利用者のプロフィールや写真等を閲覧しながら、コミュニケーションをとりたい他の利用者を探すことができる。
【０００５】
そして、利用者は、コミュニケーションをとりたい他の利用者を発見した場合、メッセージ情報を送受信する機能を使用して、他の利用者との間で直接コミュニケーションをとることができるので、多くの新たな利用者と知り合うことができる。
【０００６】
また、近年では、アバターと呼ばれる利用者に替わるイメージキャラクターを提供するコミュニケーションサイトが提案されている（非特許文献１参照）。
【０００７】
かかるコミュニケーションサイトでは、利用者が、服や髪型を自分の好みに替えたアバターを生成し、他の利用者に公開するように構成されている。
【０００８】
また、かかるコミュニケーションサイトでは、利用者が、現実通貨を使用して、コミュニケーションサイト上の仮想通貨であるポイントを購入するように構成されている。
【０００９】
そして、かかるコミュニケーションサイトでは、利用者が、かかるポイントを使用し、上述したアバター用に提供されているカバンや靴等のアイコン画像情報を購入して、自分のアバターに追加することで、より個性的なアバターを生成することができるように構成されている。
【００１０】
また、かかるコミュニケーションサイトでは、利用者が、購入したアイコン画像情報をプレゼントとしてメッセージ情報に添付し、他の利用者へ送信することができる。
【００１１】
よって、かかるコミュニケーションサイトでは、利用者同士が、お互いのアバターに対するコメントや、添付されたプレゼントに対する話題や、送られたプレゼントに対するお礼のメッセージ情報等を送受信しあうことで、さらに活発なコミュニケーションをとることができる。
【非特許文献１】“Ｊｅｎｋａ”、［online］、株式会社イメージファクトリー、［平成１８年１月２５日検索］、インターネット＜URL：http://www.jenka.com＞
【発明の開示】
【発明が解決しようとする課題】
【００１２】
しかしながら、上述する従来のコミュニケーションサイトでは、利用者が、他の利用者とコミュニケーションのほとんどをメッセージ情報でまかなえるため、プレゼントを添付したメッセージ情報を送信する機会は、さほど多くない。
【００１３】
また、かかるコミュニケーションサイトでは、仮想通貨であるポイントが、自分のアバター及びプレゼントにおけるアイコン画像情報を購入する場合のみでしか使用されない。
【００１４】
よって、当該コミュニケーションサイトでは、かかるプレゼント及びポイントの用途機会が乏しく、コミュニケーションサイト上で当該プレゼントが流通しにくいだけでなく、当該ポイントも使用されにくかった。
【００１５】
そこで、本発明は以上の点に鑑みてなされたもので、コミュニケーションサイトにおいて、コミュニケーションサイト上でのプレゼントをより流通させ、仮想通貨であるポイントの使用量を向上させるとともに、利用者同士のコミュニケーションを推進する制御サーバ及び制御方法を提供することを目的とする。
【課題を解決するための手段】
【００１６】
本発明の第一の特徴は、ネットワークを介して各端末機と接続し、各端末機の間で送受信されるメッセージ情報を制御する制御サーバであって、前記端末機の第１の利用者を識別する第１の利用者識別情報と、前記第１の識別情報とは異なる第２の利用者を識別する第２の利用者識別情報との間の関係種別を示す関係種別情報を記憶する関係種別記憶部と、前記第１の利用者が使用する前記端末機から、前記第２の利用者が使用する前記端末機に対するメッセージ情報が送信される際、前記関係種別記憶部を参照し、前記第１の利用者識別情報と第２の利用者識別情報との間の前記関係種別情報が特定の関係種別を示すか否かを判別する関係種別判別部と、前記関係種別判別部において、前記第１の利用者識別情報と第２の利用者識別情報との間の前記関係種別情報が前記特定の関係種別を示さないと判別された場合、前記第1の利用者が使用する前記端末機から、ギフト情報を識別するギフト識別情報が送信されたか否かを判別するギフト判別部と、前記関係判別部が、前記特定の関係種別を示すと判別した場合、又は、前記ギフト判別部が、前記ギフト識別情報が送信されたと判別した場合、前記第２の利用者識別情報で識別される利用者が使用する前記端末機に対して、前記メッセージ情報を送信する通信部とを具備することを要旨とするものである。
【００１７】
本発明の第一の特徴に係る制御サーバよれば、第１の利用者識別情報で識別される第１の利用者が使用する端末機から、第２の利用者識別情報で識別される第２の利用者が使用する端末機に対して、メッセージ情報が送信される際、第１の利用者識別情報と第２の利用者識別情報との間の関係種別が、特定の関係種別でない場合、当該メッセージ情報は、第２の利用者識別情報で識別される第２の利用者が使用する端末機に送信されない。
【００１８】
また、かかる場合、本発明の第１の特徴に係る制御サーバは、第1の利用者が使用する端末機から、ギフト識別情報が送信されれば、当該メッセージ情報は、第２の利用者識別情報で識別される第２の利用者が使用する端末機に送信する。
【００１９】
よって、本発明の第１の特徴に係る制御サーバよれば、利用者間において、ギフト識別情報が、より多く送信されるようになる。
【００２０】
また、かかるギフト識別情報は、第２の利用者識別情報で識別される第２の利用者が使用する端末機へ送信されることで、ギフト識別情報に関連付けられるギフト情報をプレゼントとして譲渡される。
【００２１】
したがって、かかる発明によれば、利用者間において、当該プレゼントをより流通させるとともに、当該プレゼントを話題とした利用者同士のコミュニケーションを推進することができる。
【００２２】
また、本発明の第一の特徴において、仮想通貨であるポイント情報と、前記第２の利用者識別情報とを関連付けて記憶するポイント記憶部と、ギフト識別情報と、前記ギフト識別情報で識別されるギフト情報に対応するポイント情報とを関連付けて記憶するギフト記憶部と、前記ギフト判別部において、前記第1の利用者が使用する前記端末機から、前記ギフト識別情報が送信される場合、前記ギフト記憶部を参照して、前記メッセージ情報に含まれる前記ギフト識別情報に関連付けられるポイント情報を取得するとともに、前記ポイント記憶部で前記第２の利用者識別情報に関連付けられて記憶される前記ポイント情報を、取得したポイント情報に基づいて更新するポイント管理部とをさらに具備してもよい。
【００２３】
また、本発明の第一の特徴において、前記ポイント管理部は、前記ギフト判別部において、前記第1の利用者が使用する前記端末機から、前記ギフト識別情報が送信される場合、前記ギフト記憶部を参照して、前記ギフト識別情報に関連付けられるポイント情報を取得するとともに、前記ポイント記憶部で前記第２の利用者識別情報に関連付けられて記憶される前記ポイント情報に、取得したポイント情報を加算して更新してもよい。
【００２４】
かかる発明によれば、制御サーバは、ギフト識別情報に対応するポイント情報を、メッセージ情報の送信先である第２の利用者識別情報に関連付けて記憶されるポイント情報に加算することによって、第２の利用者識別情報で識別される利用者に譲渡することができる。
【００２５】
よって、かかる発明によれば、仮想通貨であるポイントの使用量を向上させるとともに、譲渡された当該ポイント情報の話題等によって、利用者同士のコミュニケーションを推進することができる。
【００２６】
また、本発明の第一の特徴において、前記通信部は、前記第１の利用者が使用する前記端末機から、前記第１の利用者識別情報と前記第２の利用者識別情報との間の関係種別を、前記特定の関係種別を示す前記関係種別情報に変更を要求する関係種別要求情報と、前記関係種別要求情報に対する承諾を示す特定関係種別承諾情報とを受信し、前記通信部で前記特定関係種別承諾情報が受信された場合、前記関係種別記憶部に記憶される前記第１の識別情報と前記第２の識別情報との間の前記関係種別情報を、前記特定の関係種別を示す前記関係種別情報に変更する関係種別更新部をさらに具備してもよい。
【００２７】
かかる発明によれば、制御サーバは、第１の利用者が使用する端末機から送信された関係種別要求情報に対して、第２の利用者が使用する端末機から関係種別承諾情報が受信されると、特定の関係種別を示す特定関係種別情報に変更する。
【００２８】
また、かかる発明によれば、第１の利用者と第２の利用者との間における関係種別が、特定の関係種別に変更する場合、第１の利用者と第２の利用者との両者の合意が必要になるため、合意に至るまでに両者の間でメッセージ情報と、ギフト識別情報を含むギフト選択情報とが送受信されるので、ギフト識別情報及びポイント情報の譲渡される機会が多くなる。
【００２９】
したがって、かかる発明によれば、ギフト識別情報に関連付けられるギフト情報がプレゼントとしてより流通されるとともに、仮想通貨であるポイントの使用量を向上させ、利用者同士のコミュニケーションを推進することができる。
【００３０】
また、本発明の第一の特徴において、前記通信部は、前記第１の利用者が使用する前記端末機、又は、前記第２の利用者が使用する前記端末機から、前記特定の関係種別を解除する特定関係種別解除情報を受信し、前記関係種別更新部は、前記通信部において前記特定関係種別解除情報が受信された場合、前記第１の利用者識別情報と前記第２の利用者識別情報との間の関係種別を示す前記関係種別識別情報を前記特定の関係種別以外に変更してもよい。
【００３１】
かかる発明によれば、制御サーバは、第１の利用者が使用する端末機、又は、第２の利用者が使用する端末機から特定関係種別解除情報が受信されると、特定の関係種別を示す特定関係種別情報以外に変更する。
【００３２】
そして、かかる発明によれば、第１の利用者、又は、第２の利用者、のいずれかが、特定の関係種別を示す特定関係種別情報を解除したいと要求すれば、当該特定の関係種別を示す特定関係種別情報は解除される。
【００３３】
したがって、かかる発明によれば、例えば、第１の利用者は、再度、第２の利用者との間の関係種別を、メッセージ情報にギフト識別情報が不要な特定の関係種別を示す特定関係種別情報に変更するため、メッセージ情報と、ギフト識別情報を含むギフト選択情報とを送信するようになるので、ギフト識別情報がプレゼントとしてより流通されるとともに、仮想通貨であるポイントの使用量を向上させ、利用者同士のコミュニケーションを推進することができる。
【００３４】
また、かかる発明によれば、特定の関係種別を示す特定関係種別情報が解除されることを願わない利用者は、メッセージ情報に含むメッセージ文等において、相手に対して配慮するようになるため、コミュニケーションのマナーの低下を低減できる。
【００３５】
本発明の第二の特徴は、ネットワークを介して各端末機と接続し、各端末機の間で送受信されるメッセージ情報を制御する制御方法であって、
前記端末機の第１の利用者を識別する第１の利用者識別情報と、前記第１の識別情報とは異なる第２の利用者を識別する第２の利用者識別情報との間の関係種別を示す関係種別情報を記憶する関係種別記憶ステップと、前記第１の利用者が使用する前記端末機から、前記第２の利用者が使用する前記端末機に対するメッセージ情報が送信される際、前記第１の利用者識別情報と第２の利用者識別情報との間の前記関係種別情報が特定の関係種別を示すか否かを判別する関係種別判別ステップと、前記関係種別判別ステップにおいて、前記第１の利用者識別情報と第２の利用者識別情報との間の前記関係種別情報が前記特定の関係種別を示さないと判別された場合、前記第1の利用者が使用する前記端末機から、ギフト情報を識別するギフト識別情報が送信されたか否かを判別するギフト判別ステップと、前記関係判別ステップにおいて、前記特定の関係種別を示すと判別した場合、又は、前記ギフト判別ステップにおいて、前記ギフト識別情報が送信されたと判別した場合、前記第２の利用者識別情報で識別される利用者が使用する前記端末機に対して、前記メッセージ情報を送信する通信ステップとを具備することを要旨とするものである。
【発明の効果】
【００３６】
本発明の制御サーバ及び制御方法によれば、コミュニケーションサイトにおいて、コミュニケーションサイト上でのプレゼントをより流通させ、仮想通貨であるポイントの使用量を向上させるとともに、利用者同士のコミュニケーションを推進することができる。
【発明を実施するための最良の形態】
【００３７】
（本発明の第１実施形態におけるコミュニケーションシステムの構成）
初めに、本実施形態に係るコミュニケーションシステム１の概略構成について説明する。
【００３８】
図１は、本実施形態にかかるコミュニケーションシステム１を示す全体図である。図１に示すように、かかるコミュニケーションシステム１は、ネットワーク２と、端末機１０ａ乃至ｎと、制御サーバ１００とを具備する。
【００３９】
ネットワーク２は、端末機１０ａ乃至ｎと制御サーバ１００と接続するように構成されている。
【００４０】
本実施形態に係るネットワーク２は、インターネットを想定している。
【００４１】
また、本実施形態に係るコミュニケーションシステム１は、制御サーバ１００から、ネットワーク２を介して、端末機１０ａ乃至ｎへＷｅｂページ情報を送信することにより、端末機１０ａ乃至ｎにＷｅｂページ画像を表示させ、当該Ｗｅｂページ画像によって構成されるコミュニケーションサイトを、当該端末機１０ａ乃至ｎの利用者に対して提供するように構成されている。
【００４２】
また、本実施形態に係るコミュニケーションシステム１では、利用者が、当該コミュニケーションサイトにおいて、仮想通貨であるポイントを使用することができるように構成されている。
【００４３】
また、本実施形態に係るコミュニケーションシステム１では、利用者が、端末機１０ａ乃至ｎにおける所定の操作により、クレジットカードの決算機能を使用し、現実通貨である現金で、当該ポイントを購入することができるように構成されている。
【００４４】
また、本実施形態に係るコミュニケーションシステム１では、利用者が、端末機１０ａ乃至ｎにおける所定の操作によって、購入したポイントを使用し、ポイント額に対応するギフト情報を識別するギフト識別情報を、後述するメッセージ情報とともに、他の利用者へ送信するように構成されている。
【００４５】
なお、上述するギフト識別情報と、メッセージ情報については、詳細を後述する。
【００４６】
次に、本発明の第１実施形態にかかるコミュニケーションシステム１の構成について、図面を参照しながら具体的に説明する。
【００４７】
端末機１０ａ乃至ｎは、ネットワーク２を介して制御サーバ１００と接続するように構成されている。
【００４８】
なお、端末機１０ａ乃至ｎの構成は、同様であるため、以下に端末機１０ａの構成について説明する。
【００４９】
図１に示すように、端末機１０ａは、制御部１０ａ１と、表示部１０ａ２と、入力部１０ａ３とを具備している。
【００５０】
制御部１０ａ１は、ネットワーク２と、表示部１０ａ２と、入力部１０ａ３と接続している。
【００５１】
また、制御部１０ａ１は、ネットワーク２と通信する通信インターフェースの機能を備えている。
【００５２】
また、制御部１０ａ１は、Ｗｅｂブラウザの機能を備え、ネットワーク２から受信した各種Ｗｅｂページ情報を、表示部１０ａ２においてＷｅｂページ画像として表示するように構成されている。
【００５３】
また、制御部１０ａ１は、利用者の操作に基づいて、ネットワーク２を介して、利用者登録情報と、メッセージ情報と、特定関係種別要求情報と、特定関係種別承諾情報とを送信するように構成されている。
【００５４】
ここで、上述する利用者登録情報とは、端末機１０ａの利用者によって入力された「パスワード」と、「電子メールアドレス」と、「ニックネーム」と、「生年月日」と、「性別」と、「自己ＰＲ文」と、「自己画像情報」との各種情報が含まれている。
【００５５】
また、上述するメッセージ情報は、一方の端末機（例えば、端末機１０ａ）から送信され、ネットワーク２及び制御サーバ１００を介して、他方の端末機（例えば、端末機１０ｂ）へ送信される情報である。
【００５６】
また、かかるメッセージ情報には、利用者によって入力されたテキスト形式のメッセージの文章が含まれている。
【００５７】
また、上述するメッセージ情報には、送信元である例えば端末機１０ａの利用者を識別する「利用者識別情報」と、送信先である例えば端末機１０ｂの利用者を識別する「利用者識別情報」とが含まれている。
【００５８】
なお、上述する特定関係種別要求情報及び特定関係種別承諾情報については、後述する制御サーバ１００に具備される通信部１１０の構成を説明する際に、詳細を説明する。
【００５９】
表示部１０ａ２は、制御部１０ａ１のＷｅｂブラウザ機能によって、コミュニケーションサイトのＷｅｂページ画像を表示するように構成されている。
【００６０】
入力部１０ａ３は、利用者によって操作されるキーボード及びマウス等で構成されている。
【００６１】
なお、本実施形態において、上述した端末機１０ａ乃至ｎは、パーソナルコンピュータ（ＰＣ）を想定しているが、Ｗｅｂブラウザの機能を備える携帯電話機やパーソナル・デジタル・アシスタンス（ＰＤＡ）等であってもよい。
【００６２】
次に、制御サーバ１００の構成について説明する。
【００６３】
制御サーバ１００は、端末機１０ａ乃至ｎに対して、提供するコミュニケーションサイトの各種画像のＷｅｂページ情報を送信するＷｅｂサーバとして機能するように構成されている。
【００６４】
また、本実施形態に係る制御サーバ１００では、一方の端末機１０ａ乃至ｎが、上述するＷｅｂブラウザ機能を使用して送信するメッセージ情報を中継し、他方の端末機１０ａ乃至ｎへ送信するように構成されている。
【００６５】
なお、かかるコミュニケーションシステム１は、当該メッセージ情報を、Ｗｅｂメールによって、端末機１０ａ乃至ｎとの間で、メッセージ情報を送受信するように構成されていていもよい。
【００６６】
制御サーバ１００は、通信部１１０と、記憶部１２０と、利用者情報管理部１３０と、メッセージ情報管理部１４０と、ポイント管理部１５０と、Ｗｅｂサービス提供部１６０とを具備している。
【００６７】
通信部１１０は、ネットワーク２と、利用者情報管理部１３０と、メッセージ情報管理部１４０と、ポイント管理部１５０と、Ｗｅｂサービス提供部１６０と接続するように構成されている。
【００６８】
また、通信部１１０は、ネットワーク２を介して、端末機１０ａ乃至ｎとの間で、メッセージ情報を送受信するように構成されている。
【００６９】
また、通信部１１０は、第１の利用者が使用する端末機（例えば、端末機１０ａ）から、第１の利用者識別情報（例えば、Ａ００１）と第２の利用者識別情報（例えば、Ａ００２）との間の関係種別を、特定の関係種別を示す関係種別情報に変更を要求する関係種別要求情報を受信するように構成されている。
【００７０】
ここで、上述した特定関係種別要求情報は、例えば、送信元である端末機１０ａの第１の利用者を識別する第１の識別情報と、送信先である端末機１０ｂの第２の利用者を識別する第２の識別情報との間の関係種別を示す関係種別情報を、特定の関係種別を示す関係種別情報に変更を要求する情報である。
【００７１】
また、通信部１１０は、第２の利用者が使用する端末機（例えば、端末機１０ｂ）から、上述する関係種別要求情報に対する承諾を示す特定関係種別承諾情報を受信するように構成されている。
【００７２】
また、通信部１１０は、第１の利用者が使用する端末機（例えば、端末機１０ａ）、又は、第２の利用者が使用する端末機（例えば、端末機１０ｂ）から、特定の関係種別を解除する特定関係種別解除情報を受信するように構成されている。
【００７３】
ここで、特定関係種別承諾情報は、上述した特定関係種別要求情報に対して、特定の関係種別を示す関係種別情報に変更することを承諾する情報であり、上述の例では、第２の利用者が使用する端末機１０ｂから送信される。
【００７４】
なお、上述する特定の関係種別及び関係種別情報については、後述する利用者情報ＤＢ１２１で詳細を説明する（図２参照）。
【００７５】
記憶部１２０は、利用者情報管理部１３０と、メッセージ情報管理部１４０と、ポイント管理部１５０と、Ｗｅｂサービス提供部１６０と接続するように構成されている。
【００７６】
また、記憶部１２０は、利用者情報ＤＢ１２１と、ＷｅｂＤＢ１２２と、メッセージＤＢ１２３と、ギフト情報ＤＢ１２４とを具備している。
【００７７】
利用者情報ＤＢ１２１は、図２に示すように、利用者情報テーブルＴ００１乃至Ｔｎｎｎを備えている。
【００７８】
また、かかる利用者情報ＤＢ１２１は、「利用者識別情報」の数（ｎｎｎ）だけ、利用者情報テーブルを記憶するように構成されている。
【００７９】
次に、図２を参照して、利用者情報テーブルＴＡ００１に記憶される各情報の詳細について説明する。
【００８０】
図２に示すように、利用者情報テーブルＴＡ００１は、「パスワード」と、「電子メールアドレス」と、「ニックネーム」と、「生年月日」と、「自己ＰＲ文」と、「自己画像情報」と、「所持ギフト情報」と、「フレンド情報」と、「取得ポイント総額」と、「所持ポイント総額」と、「総購入金額」との各情報が、「利用者識別情報」に関連付けられて記憶するように構成されている。
【００８１】
「利用者識別情報」は、利用者を識別するための情報であり、文字、数字、記号等による数桁〜数十桁の情報（例えば、Ａ００１）である。
【００８２】
また、「利用者識別情報」は、後述する登録管理部１３１において生成される。
【００８３】
「パスワード」は、コミュニケーションサイトへアクセスする際に、上述する利用者識別情報で識別される利用者であることを認証する情報であり、利用者の任意で決定される文字、数字、記号等による数桁〜数十桁の情報（例えば、ａｂｃｄ１２３４）である。
【００８４】
「電子メールアドレス」は、利用者が使用する端末機１０ａ乃至ｎへ電子メールを送信するためのアドレスである。
【００８５】
「ニックネーム」は、利用者のコミュニケーションサイトにおける名前のテキスト形式の情報である。
【００８６】
「生年月日」は、利用者の生年月日（例えば、１９８０,０１,０１）である。
【００８７】
「自己ＰＲ文」は、利用者によって入力されたテキスト形式の情報である。
【００８８】
「自己画像情報」は、利用者自身の写真等の画像情報である。
【００８９】
なお、本実施形態に係るコミュニケーションシステム１では、上述する「自己画像情報」が、できるだけ利用者本人の写真の画像情報を使用することを推奨している。
【００９０】
「所持ギフト情報」には、図３に示すように、「利用者識別情報」で識別される利用者が使用する端末機に対して、送信されたメッセージ情報に含まれる「ギフト識別情報（例えば、Ｇ００１）」が含まれている。
【００９１】
なお、「所持ギフト情報」には、かかる「ギフト識別情報」が、一つ又は複数含まれていてもよいし、一つも含まれていなくてもよい。
【００９２】
「取得ポイント総額」は、通信部１１０で受信されたメッセージ情報に含まれるギフト識別情報に基づいて、後述するポイント管理部１５０で取得されたポイント額の総額である。
【００９３】
また、本実施形態では、かかるポイント額の値の単位が“ｍｓｑ（呼称：ムスク）”である場合を例に説明する。
【００９４】
なお、利用者情報ＤＢ１２１は、上述する「取得ポイント総額」と、「利用者識別情報」とを関連付けて記憶することで、仮想通貨であるポイント情報と、第２の利用者識別情報とを関連付けて記憶するポイント記憶部として機能している。
【００９５】
「所持ポイント総額」は、現在利用者が所持しているポイント額の総額である。
【００９６】
「フレンド情報」は、第１の利用者を識別する第１の利用者識別情報と、第１の識別情報とは異なる第２の利用者を識別する第２の利用者識別情報との間の関係種別を示す関係種別情報である。
【００９７】
具体的に、「フレンド情報」には、図４に示すように、利用者自身の「利用者識別情報」（例えば、Ａ００１）ではなく、他の利用者の「利用者識別情報」（例えば、Ａ００２）が記憶されている。
【００９８】
また、本実施形態に係るコミュニケーションシステム１では、かかる「フレンド情報」に、他の利用者の「利用者識別情報」（例えば、Ａ００２）が含まれることによって、後述する関係種別判別部１４１において、第１の利用者識別情報（例えば、Ａ００１）と、第２の利用者識別情報（例えば、Ａ００２）との間の関係種別を特定の関係種別として判別するように構成されている。
【００９９】
すなわち、本実施形態では、利用者情報ＤＢ１２１が、上述する「フレンド情報」を関係種別情報として記憶することによって、関係種別情報を記憶する関係種別記憶部として機能している
なお、本実施形態では、上述した特定の関係種別をフレンド関係とし、特定の関係種別以外の関係種別を非フレンド関係として、以降説明する。また、本実施形態では、利用者情報テーブルＴＡ００１が、「利用者識別情報」“Ａ００１”に対応し、利用者情報テーブルＴＡ００２が、「利用者識別情報」“Ａ００２”に対応する場合を例に以降説明する。
【０１００】
ＷｅｂＤＢ１２２は、端末機１０ａ乃至ｎに対して送信するための各種のＷｅｂページ情報を記憶するように構成されている。
【０１０１】
また、かかるＷｅｂページ情報は、端末機１０ａ乃至ｎにおいて、コミュニケーションサイトを表示させるためのＷｅｂページ画像の情報であり、例えば、ＨＴＭＬ形式やＸＭＬ形式の情報である。
【０１０２】
メッセージＤＢ１２３は、端末機１０ａ乃至ｎ間で送受信されたメッセージ情報を記憶するように構成されている。
【０１０３】
ギフト情報ＤＢ１２４は、図５の例に示すギフト情報テーブルを備えている。
【０１０４】
図５に示すように、かかるギフト情報テーブルには、「ギフト識別情報」と、「ギフト情報」とが関連付けられて記憶されている。
【０１０５】
「ギフト識別情報」は、各「ギフト情報」を識別するための情報（例えば、Ｇ００１）である。
【０１０６】
「ギフト情報」には、「ギフト名称」と、「ギフト画像情報」と、「ポイント額（ｍｓｑ）」とが含まれている。
【０１０７】
「ギフト名称」は、「ギフト情報」の名前である。「ギフト画像情報」は、「ギフト情報」の画像情報である。「ポイント額（ｍｓｑ）」は、「ギフト情報」のポイント額の値（例えば、１００ｍｓｑ）である。
【０１０８】
なお、上述する「ギフト識別情報」と、「ギフト情報」とは、予め設定され、ギフト情報テーブルに記憶されている。
【０１０９】
上述するように、ギフト情報ＤＢ１２４は、「ギフト識別情報」と、当該「ギフト識別情報」で識別される「ギフト情報」に含まれる「ポイント額」とを関連付けて記憶することで、「ギフト識別情報」と、「ギフト識別情報」で識別される「ギフト情報」に対応する「ポイント情報（ポイント額）」とを関連付けて記憶するギフト記憶部として機能している。
【０１１０】
利用者情報管理部１３０は、利用者に関する各情報を管理するように構成されている。
【０１１１】
また、利用者情報管理部１３０は、登録管理部１３１と、関係種別更新部１３２と、ギフト管理部１３３とを具備している。
【０１１２】
登録管理部１３１は、通信部１１０において、端末機１０ａ乃至ｎから送信された利用者登録情報が受信されると、受信した利用者登録情報を上述した記憶部１２０の利用者情報ＤＢ１２１へ記憶させる登録処理を実施するように構成されている。
【０１１３】
具体的に、登録管理部１３１は、通信部１１０において、端末機１０ａ乃至ｎから送信された利用者登録情報が受信されると、利用者情報ＤＢ１２１に、「利用者識別情報」と、当該「利用者識別情報」に対応する利用者情報テーブル（例えば、ＴＡ００１）とを新たに生成するように構成されている。
【０１１４】
また、登録管理部１３１は、通信部１１０で受信された利用者登録情報に含まれる「パスワード」と、「電子メールアドレス」と、「ニックネーム」と、「生年月日」と、「性別」と、「自己ＰＲ文」と、「自己画像情報」とを、生成した「利用者識別情報」に関連付けて、生成した利用者情報テーブル（例えば、ＴＡ００１）へ記憶するように構成されている。
【０１１５】
なお、上述する利用者登録情報は、端末機１０ａ乃至ｎの利用者によって入力された情報である。
【０１１６】
関係種別更新部１３２は、通信部１１０において、第１の識別情報と第２の識別情報との間の関係種別を、特定の関係種別へ変更を承諾することを示す特定関係種別承諾情報が受信された場合、関係種別記憶部に記憶される第１の識別情報と第２の識別情報との間の関係種別情報を、特定の関係種別を示す関係種別情報に変更するフレンド登録処理を実施するように構成されている。
【０１１７】
ここで、かかる特定関係種別承諾情報には、第１の識別情報（例えば、「利用者識別情報」のＡ００１）と、第２の識別情報（例えば、「利用者識別情報」のＡ００２）とが含まれている。
【０１１８】
よって、具体的に、関係種別更新部１３２は、通信部１１０において、第１の識別情報（例えば、「利用者識別情報」のＡ００１）と、第２の識別情報（例えば、「利用者識別情報」のＡ００２）との間の関係種別を、特定の関係種別（フレンド関係）を示す関係種別情報へ変更することを承諾する特定関係種別承諾情報が受信された場合、当該特定関係種別承諾情報に含まれる「利用者識別情報」“Ａ００１”に基づいて、利用者情報ＤＢ１２１における「利用者識別情報」“Ａ００１”に対応する利用者情報テーブルＴＡ００１を検出するように構成されている。
【０１１９】
そして、関係種別更新部１３２は、検出した利用者情報テーブルＴＡ００１の「フレンド情報」に「利用者識別情報」“Ａ００２”を追加するように構成されている。
【０１２０】
また、続いて、関係種別更新部１３２は、当該特定関係種別承諾情報に含まれる「利用者識別情報」“Ａ００２”に基づいて、「利用者識別情報」“Ａ００２”に対応する利用者情報テーブルＴＡ００２を検出するように構成されている。
【０１２１】
そして、関係種別更新部１３２は、検出した利用者情報テーブルＴＡ００２の「フレンド情報」に「利用者識別情報」“Ａ００１”を追加するように構成されている。
【０１２２】
上述する関係種別更新部１３２におけるフレンド登録処理によって、本実施形態に係るコミュニケーションシステム１では、第１の識別情報（例えば、「利用者識別情報」のＡ００１）と、第２の識別情報（例えば、「利用者識別情報」のＡ００２）との間の関係種別が、特定の関係種別であるフレンド関係へ変更される。
【０１２３】
ここで、本実施形態では、上述する特定関係種別要求情報をフレンド要求情報とし、上述する特定関係種別承諾情報をフレンド承諾情報として以降説明する。
【０１２４】
また、関係種別更新部１３２は、通信部１１０において、第１の利用者が使用する端末機（例えば、端末機１０ａ）、又は、第２の利用者が使用する端末機（例えば、端末機１０ｂ）から、特定の関係種別の解除を要求する特定関係種別解除情報が受信された場合、第１の利用者を識別する第１の識別情報と第２の識別情報との間の関係種別を示す関係種別識別情報を特定の関係種別以外に変更するフレンド解除処理を実施するように構成されている。
【０１２５】
ここで、かかる特定関係種別解除情報には、第１の識別情報（例えば、「利用者識別情報」のＡ００１）と、第２の識別情報（例えば、「利用者識別情報」のＡ００２）とが含まれている。
【０１２６】
よって、具体的に、関係種別更新部１３２は、通信部１１０において、第１の識別情報（例えば、「利用者識別情報」のＡ００１）と、第２の識別情報（例えば、「利用者識別情報」のＡ００２）との間の関係種別を、特定の関係種別であるフレンド関係の解除を要求する特定関係種別解除情報が受信された場合、当該特定関係種別解除情報に含まれる「利用者識別情報」“Ａ００１”に基づいて、利用者情報ＤＢ１２１における「利用者識別情報」“Ａ００１”に対応する利用者情報テーブルＴＡ００１を検出するように構成されている。
【０１２７】
そして、関係種別更新部１３２は、検出した利用者情報テーブルＴＡ００１の「フレンド情報」に含まれる「利用者識別情報」“Ａ００２”を削除するように構成されている。
【０１２８】
また、続いて、関係種別更新部１３２は、当該特定関係種別解除情報に含まれる「利用者識別情報」“Ａ００２”に基づいて、「利用者識別情報」“Ａ００２”に対応する利用者情報テーブルＴＡ００２を検出するように構成されている。
【０１２９】
そして、関係種別更新部１３２は、検出した利用者情報テーブルＴＡ００２の「フレンド情報」に含まれる「利用者識別情報」“Ａ００１”を削除するように構成されている。
【０１３０】
上述する関係種別更新部１３２におけるフレンド解除処理によって、本実施形態に係るコミュニケーションシステム１では、第１の識別情報（例えば、「利用者識別情報」のＡ００１）と、第２の識別情報（例えば、「利用者識別情報」のＡ００２）との間の関係種別が、特定の関係種別であるフレンド関係から、特定の関係種別以外の非フレンド関係へ変更される。
【０１３１】
なお、本実施形態では、上述する特定関係種別解除情報をフレンド解除情報として、以降説明する。
【０１３２】
ギフト管理部１３３は、後述するギフト判別部１４２において、メッセージ情報にギフト情報を識別する「ギフト識別情報」（例えば、“Ｇ００１”）が含まれていると判別された場合、ギフト譲渡処理を実施するように構成されている。
【０１３３】
具体的に、ギフト管理部１３３は、後述するギフト判別部１４２において、メッセージ情報にギフト情報を識別する「ギフト識別情報」（例えば、“Ｇ００１”）が含まれていると判別された場合、当該メッセージ情報に含まれる送信先の「利用者識別情報」（例えば、“Ａ００２”）に基づいて、利用者情報ＤＢ１２１における「利用者識別情報」“Ａ００２”の利用者情報テーブルＴＡ００２を検出するように構成されている。
【０１３４】
そして、ギフト管理部１３３は、検出した利用者情報テーブルＴＡ００２の「所持ギフト情報」に、当該メッセージ情報に含まれる「ギフト識別情報」“Ｇ００１”を追加するように構成されている。
【０１３５】
メッセージ情報管理部１４０は、通信部１１０で受信されたメッセージ情報をメッセージＤＢ１２３へ記憶するように構成されている。
【０１３６】
また、メッセージ情報管理部１４０は、通信部１１０で受信されたメッセージ情報を、当該メッセージ情報の送信先の端末機１０ａ乃至ｎへ送信するか否かを判断するメッセージ情報送信処理を実施するように構成されている。なお、上述するメッセージ情報送信処理については、詳細を後述する。
【０１３７】
また、メッセージ情報管理部１４０は、関係種別判別部１４１と、ギフト判別部１４２とを具備している。
【０１３８】
関係種別判別部１４１は、第１の利用者が使用する端末機１０ａ乃至ｎから、第２の利用者が使用する端末機１０ａ乃至ｎに対するメッセージ情報が送信される際、利用者情報ＤＢ１２１を参照し、第１の利用者識別情報と第２の利用者識別情報との間の関係種別情報が特定の関係種別を示すか否かを判別するように構成されている。
【０１３９】
具体的に、関係種別判別部１４１は、通信部１１０において、第１の利用者識別情報（例えば、Ａ００１）で識別される第１の利用者が使用する端末機（例えば、端末機１０ａ）から、第２の利用者識別情報（例えば、Ａ００２）で識別される第２の利用者が使用する端末機（例えば、端末機１０ｂ）宛のメッセージ情報が受信された場合、利用者情報ＤＢ１２１を参照し、当該メッセージ情報に含まれる送信元の「利用者識別情報」“Ａ００１”に対応する利用者情報テーブルＴＡ００１を検出するように構成されている。
【０１４０】
そして、関係種別判別部１４１は、検出した利用者情報テーブルＴＡ００１の「フレンド情報」に、当該メッセージ情報に「利用者識別情報」“Ａ００２”が含まれているか否かを判別するように構成されている。
【０１４１】
また、関係種別判別部１４１では、検出した利用者情報テーブルＴＡ００１の「フレンド情報」に、当該メッセージ情報に送信先の「利用者識別情報」“Ａ００２”が、含まれていると判別した場合、「利用者識別情報」“Ａ００１”と、「利用者識別情報」“Ａ００２”との関係種別が特定の関係種別であるフレンド関係であると判別する。
【０１４２】
また、関係種別判別部１４１は、「利用者識別情報」“Ａ００１”と、「利用者識別情報」“Ａ００２”との関係種別がフレンド関係であると判別した場合のみ、当該メッセージ情報を、通信部１１０とネットワーク２とを介して、送信先の「利用者識別情報」“Ａ００２”で識別される利用者が使用する端末機１０ｂへ送信するように構成されている。
【０１４３】
ギフト判別部１４２は、関係種別判別部１４１において、第１の利用者識別情報と第２の利用者識別情報との間の関係種別情報が特定の関係種別を示さないと判別された場合、第１の利用者が使用する端末機から、ギフト情報を識別するギフト識別情報が送信されたか否かを判別するように構成されている。
【０１４４】
具体的に、ギフト判別部１４２は、関係種別判別部１４１において、例えば、送信元の「利用者識別情報」“Ａ００１”と、送信先の「利用者識別情報」“Ａ００２”との関係種別が、特定の関係種別を示すフレンド関係でないと判別された場合、続いて、通信部１１０において、送信先の「利用者識別情報」“Ａ００１”で識別される利用者が使用する端末機１０ａから送信されるギフト選択情報が、受信されたか否かを判別するように構成されている。
【０１４５】
ここで、上述するギフト選択情報には、送信元の「利用者識別情報」“Ａ００１”と、送信先の「利用者識別情報」“Ａ００２”と、「ギフト識別情報」（例えば、“Ｇ００１”）とが含まれている。
【０１４６】
そして、ギフト判別部１４２は、通信部１１０において、当該「ギフト識別情報」を含むギフト選択情報が受信されたと判別した場合、送信先の「利用者識別情報」“Ａ００２”で識別される利用者が使用する端末機１０ｂに対して、通信部１１０及びネットワーク２を介して、当該メッセージ情報を送信するように構成されている。
【０１４７】
また、ギフト判別部１４２は、通信部１１０において、「ギフト識別情報」を含むギフト選択情報が受信されていないと判別した場合、かかるメッセージ情報を送信せず、当該メッセージ情報を送信しない旨を示すエラー通知を、通信部１１０及びネットワーク２を介して、送信元の「利用者識別情報」“Ａ００１”の利用者が使用する端末機１０ａへ送信するように構成されている。
【０１４８】
Ｗｅｂサービス提供部１６０は、ＷｅｂＤＢ１２２に記憶されるＷｅｂページ情報と、利用者情報ＤＢ１２１と、メッセージＤＢ１２３と、ギフト情報ＤＢ１２４とに基づいて、各種のＷｅｂページ情報を生成するように構成されている。
【０１４９】
また、Ｗｅｂサービス提供部１６０は、生成した各種のＷｅｂページ情報を、通信部１１０及びネットワーク２を介して、端末機１０ａ乃至ｎへ送信するように構成されている。
【０１５０】
ポイント管理部１５０では、利用者が、コミュニケーションシステム１における仮想通貨であるポイントを購入する際のポイント購入処理と、メッセージ情報にギフト識別情報が含まれている際のポイント消費処理及びポイント引渡処理とを実施するように構成されている。
【０１５１】
以下に、本実施形態に係るポイント管理部１５０で実施されるポイント購入処理と、ポイント消費処理と、ポイント引渡処理とについて説明する。
【０１５２】
まず、ポイント管理部１５０におけるポイント購入処理について説明する。
【０１５３】
ここで、本実施形態では、説明の便宜上、「利用者識別情報」“Ａ００１”で識別される利用者Ａ１が、端末機１０ａを使用して、コミュニケーションシステム１が提供するコミュニケーションサイトのＷｅｂページ画像を閲覧する場合を例に、かかるポイント購入処理について説明する。
【０１５４】
本実施形態に係るコミュニケーションシステム１では、かかるコミュニケーションサイトにログイン後、利用者Ａ１が、端末機１０ａの表示部１０ａ２に表示される画面におけるポイント購入領域（図示せず）を所定の操作（例えば、クリック）すると、表示部１０ａ２には、図６の例に示すポイント購入Ｗｅｂページ画像４００が表示される。
【０１５５】
なお、かかるポイント購入Ｗｅｂページ画像４００は、Ｗｅｂサービス提供部１６０で生成されたＷｅｂページ情報に基づいて、表示されている。
【０１５６】
図６の例に示すように、ポイント購入Ｗｅｂページ画像４００には、購入ポイント額の表示領域４１０と、現金額の表示領域４２０と、選択の表示領域４３０と、所持ポイント総額の表示領域４４０と、購入ボタンの表示領域４５０とが備えられている。
【０１５７】
所持ポイント総額の表示領域４４０には、「利用者識別情報」“Ａ００１”で識別される利用者情報テーブルＴＡ００１に記憶されている「所持ポイント総額」の値が表示される。
【０１５８】
また、図６の例に示すように、購入ポイント額の表示領域４１０の各値（例えば、５００ｍｓｑ）には、現金額の表示領域４２０の各値（例えば、５００円）及び選択の表示領域４３０が、対応して表示されている。
【０１５９】
なお、本実施形態では、「５００ｍｓｑ」の購入ポイント額の値に対応する現金額の値を「５００円」とし、「１２００ｍｓｑ」の購入ポイント額の値に対応する現金額の値を「１０００円」とし、「３０００ｍｓｑ」の購入ポイント額の値に対応する現金額の値を「２０００円」とし、「８０００ｍｓｑ」の購入ポイント額の値に対応する現金額の値を「５０００円」とし、「２００００ｍｓｑ」の購入ポイント額の値に対応する現金額の値を「１００００円」として、予め設定されている場合を例に説明する。
【０１６０】
また、本実施形態に係るコミュニケーションシステム１では、上述した購入ポイント額の値、及び、購入ポイント額の値に対応する現金額の値は、制御サーバ１００の管理者によって、変更可能に構成されている。
【０１６１】
そして、コミュニケーションシステム１では、「利用者識別情報」“Ａ００１”で識別される利用者Ａ１が、端末機１０ａにおいてポイント購入Ｗｅｂページ画像４００を参照しながら、入力部１０ａ３を使用し、例えば、購入ポイント額の表示領域４１０の値“５００ｍｓｑ”に対応する、選択の表示領域４３０を選択して、購入ボタンの表示領域４４０を、押下（例えば、クリック）することで、端末機１０ａから、ネットワーク２を介して、制御サーバ１００へポイント購入情報が送信される。
【０１６２】
ここで、かかるポイント購入情報には、購入した利用者Ａ１を識別する「利用者識別情報」“Ａ００１”と、購入ポイント額の値“５００ｍｓｑ”と、当該ポイント額“５００ｍｓｑ”に対応する現金額の値“５００円”とが含まれている。
【０１６３】
なお、かかるポイント購入情報には、「利用者識別情報」“Ａ００１”と、購入ポイント額の値“５００ｍｓｑ”や当該ポイント額“５００ｍｓｑ”に対応する現金額の値“５００円”を識別するポイント額識別情報（例えば、Ｐ１）などが含まれていてもよい。
【０１６４】
そして、ポイント管理部１５０は、通信部１１０において、かかるポイント購入情報が受信された場合、ポイント購入情報に含まれる「利用者識別情報」“Ａ００１”に基づいて、利用者情報ＤＢ１２１における「利用者識別情報」“Ａ００１”に対応する利用者情報テーブルＴＡ００１を検出するように構成されている。
【０１６５】
そして、ポイント管理部１５０は、ポイント購入情報に含まれるポイント額の値を、検出した利用者情報テーブルＴＡ００１の「所持ポイント総額」の値に加算して更新するように構成されている。
【０１６６】
また、この時、ポイント管理部１５０は、ポイント購入情報に含まれる現金額の値を、検出した利用者情報テーブルＴＡ００１の「現金総額」の値に加算して更新するように構成されている。
【０１６７】
ここで、本実施形態に係るコミュニケーションシステム１は、上述する「現金総額」の値に基づいて、「利用者識別情報」“Ａ００１”で識別される利用者Ａ１に対し、クレジットカードの決算機能等を使用して請求するように構成されている。
【０１６８】
なお、本実施形態に係るコミュニケーションシステム１は、上述する「所持ポイント総額」の値に基づいて、「利用者識別情報」“Ａ００１”で識別される利用者Ａ１に対し、当該「所持ポイント総額」の値に対応する商品等を提供するように構成されていてもよい。
【０１６９】
次に、ポイント管理部１５０におけるポイント消費処理について説明する。
【０１７０】
ポイント管理部１５０は、通信部１１０において、例えば、第１の利用者が使用する端末機１０ａから「ギフト識別情報」が受信された場合、ギフト情報ＤＢ１２４を参照して、受信したギフト選択情報に含まれる「ギフト識別情報」に関連付けられるポイント情報を取得するとともに、利用者情報ＤＢ１２１において、送信元の「利用者識別情報」に関連付けられて記憶される「所持ポイント額」に、取得したポイント情報を減算して更新するポイント消費処理を実施するように構成されている。
【０１７１】
具体的に、ポイント管理部１５０は、通信部１１０において、例えば、「利用者識別情報」“Ａ００１”で識別される利用者Ａ１が使用する端末機１０ａから、例えば「ギフト識別情報」“Ｇ００１”を含むギフト選択情報が受信された場合、ギフト情報ＤＢ１２４を参照し、当該「ギフト識別情報」“Ｇ００１”に関連付けて記憶されるポイント情報として、「ポイント額」“１００ｍｓｑ”の値を取得する。
【０１７２】
そして、ポイント管理部１５０は、当該ギフト選択情報に送信元として含まれる送信元の「利用者識別情報」“Ａ００１”に基づいて、利用者情報ＤＢ１２１における「利用者識別情報」“Ａ００１”に対応する利用者情報テーブルＴＡ００１を検出するように構成されている。
【０１７３】
そして、ポイント管理部１５０は、検出した利用者情報テーブルＴＡ００１の「所持ポイント総額」から、取得した「ポイント額」“１００ｍｓｑ”の値を減算して更新するように構成されている。
【０１７４】
次に、ポイント管理部１５０におけるポイント引渡処理について説明する。
【０１７５】
ポイント管理部１５０は、通信部１１０において第２の利用者が使用する端末機へ、「ギフト識別情報」を含むギフト選択情報が送信される場合、ギフト情報ＤＢ１２４を参照して、ギフト選択情報に含まれる「ギフト識別情報」に関連付けられるポイント情報を取得するとともに、利用者情報ＤＢ１２１で第２の利用者識別情報に関連付けられて記憶される「取得ポイント額」と「所持ポイント総額」に、取得したポイント情報を加算して更新するポイント引渡処理を実施するように構成されている。
【０１７６】
具体的に、ポイント管理部１５０は、通信部１１０において、例えば、「利用者識別情報」“Ａ００２”で識別される利用者Ａ２が使用する端末機１０ｂへ、例えば「ギフト識別情報」“Ｇ００１”を含むギフト選択情報が送信される場合、ギフト情報ＤＢ１２４を参照し、ギフト選択情報に含まれる「ギフト識別情報」“Ｇ００１”に関連付けて記憶されるポイント情報として、「ポイント額」“１００ｍｓｑ”の値を取得する。
【０１７７】
また、ポイント管理部１５０は、当該ギフト選択情報に送信先として含まれる「利用者識別情報」“Ａ００２”に基づいて、利用者情報ＤＢ１２１における「利用者識別情報」“Ａ００２”に対応する利用者情報テーブルＴＡ００２を検出するように構成されている。
【０１７８】
そして、ポイント管理部１５０は、検出した利用者情報テーブルＴＡ００２の「取得ポイント総額」と「所持ポイント総額」とに、取得した「ポイント額」“１００ｍｓｑ”の値を加算して更新するように構成されている。
【０１７９】
なお、ポイント管理部１５０は、検出した利用者情報テーブルＴＡ００２の「取得ポイント総額」と「所持ポイント総額」とに、取得した「ポイント額」の値の５割の値（例えば、５０ｍｓｑ）を加算して更新するように構成されていてもよいし、４割の値（例えば、４０ｍｓｑ）を加算して更新するように構成されていてもよい。
【０１８０】
また、ポイント管理部１５０は、検出した利用者情報テーブルＴＡ００２の「取得ポイント総額」と「所持ポイント総額」とに対し、取得した「ポイント額」の値の割合を、時刻、日付、曜日、月等の時期に基づいて変化させて加算するように構成されていてもよい。
【０１８１】
（本実施形態におけるコミュニケーションシステム１の動作）
上記の構成を具備するコミュニケーションシステム１の概略動作について、図７乃至８を参照して説明する。
【０１８２】
図７は、本実施形態にかかるコミュニケーションシステム１が、端末機１０ａ乃至ｎへ、コミュニケーションサイトを提供する際の概略動作を示すフローチャートである。
【０１８３】
また、本実施形態では、端末機１０ａ乃至ｎの利用者において、上述した登録処理が実施され、利用者情報ＤＢ１２１において、例えば、「利用者識別情報」に対応する利用者情報テーブルＴＡ００１乃至ＴＡｎｎｎが生成されているものとして説明する。
【０１８４】
また、本実施形態では、説明の便宜上、「利用者識別情報」“Ａ００１”で識別される利用者Ａ１が、端末機１０ａを使用するものと、「利用者識別情報」“Ａ００２”で識別される利用者Ａ２が、端末機１０ｂを使用するものとして説明する。
【０１８５】
図７に示す、ステップＳ１０において、端末機１０ａには、「利用者識別情報」を入力する領域と、「パスワード」を入力する領域とを備えるログイン用のＷｅｂページ画像（図示せず）が表示される。
【０１８６】
また、利用者Ａ１は、端末機１０ａを使用して、当該「利用者識別情報」を入力する領域に、「利用者識別情報」“Ａ００１”を入力し、「パスワード」を入力する領域に、「パスワード」（例えば、ａｂｃｄ１２３４）を入力する。
【０１８７】
また、制御サーバ１００の利用者情報管理部１３０は、入力された「利用者識別情報」“Ａ００１”と「パスワード」とに基づいて、利用者情報ＤＢ１２１を参照し、上述する「利用者識別情報」“Ａ００１”が記憶されているか否かを判別するとともに、上述する「利用者識別情報」“Ａ００１”に関連付けて記憶される「パスワード」が一致するか否かを認証する。
【０１８８】
なお、本実施形態に係るコミュニケーションシステム１では、上述する「利用者識別情報」“Ａ００１”が記憶されていない場合、又は、上述する「利用者識別情報」“Ａ００１”に関連付けて記憶される「パスワード」が一致しない場合は、後述するステップＳ１１の動作を行わない。
【０１８９】
ステップＳ１１において、ログインが完了した端末機１０ａでは、「利用者識別情報」“Ａ００１”に対応する利用者情報テーブルＴＡ００１に基づいて生成されたＷｅｂページ情報によって、利用者個人Ｗｅｂページ画像５００が表示される。
【０１９０】
図８には、利用者個人Ｗｅｂページ画像５００の一例が示されている。
【０１９１】
図８の例に示すように、利用者個人Ｗｅｂページ画像５００には、自己画像情報の表示領域５１０と、ニックネームの表示領域５２０と、プロフィールの表示領域５３０と、所持ギフト表示領域５４０と、フレンド表示領域５５０と、利用者検索領域５６０と、ログアウト表示領域５７０と、コミュニケーション表示領域５８０とを備えている。
【０１９２】
なお、利用者個人Ｗｅｂページ画像５００のＷｅｂページ情報は、利用者情報ＤＢ１２１に記憶される利用者情報テーブルに基づいて、Ｗｅｂサービス提供部１６０によって生成されている。
【０１９３】
ここで、本実施形態では、利用者情報テーブルＴＡ００１に基づいて生成された利用者個人Ｗｅｂページ画像５００を利用者個人Ｗｅｂページ画像５００Ａ１とし、利用者情報テーブルＴＡ００２に基づいて生成された利用者個人Ｗｅｂページ画像５００を利用者個人Ｗｅｂページ画像５００Ａ２として以下の動作を説明する。
【０１９４】
自己画像情報の表示領域５１０には、利用者情報ＤＢ１２１において、「利用者識別情報」“Ａ００１”に関連付けて記憶されている「自己画像情報」が画像として表示される。
【０１９５】
なお、本実施形態に係るコミュニケーションシステム１では、端末機１０ａにおいて、自己画像情報の表示領域５１０に表示される自己画像が、サムネイルで表示され、当該サムネイルに対して所定の操作（例えば、マウスを使用したクリック）を行うことで、拡大した「自己画像情報」が画像として表示される。
【０１９６】
ニックネームの表示領域５２０には、利用者情報ＤＢ１２１において、「利用者識別情報」“Ａ００１”に関連付けて記憶されている「ニックネーム」が表示される。
【０１９７】
プロフィールの表示領域５３０には、利用者情報ＤＢ１２１において、「利用者識別情報」“Ａ００１”に関連付けて記憶されている「生年月日」と、「性別（例えば、男性）」と、「自己ＰＲ」とが表示される。
【０１９８】
所持ギフト表示領域５４０には、利用者情報ＤＢ１２１において、「利用者識別情報」“Ａ００１”に関連付けて記憶されている「所持ギフト情報」に含まれる「ギフト識別情報」に基づいて、当該「ギフト識別情報」に対応し、ギフト情報ＤＢ１２４に記憶されている「ギフト情報」が表示される。
【０１９９】
具体的に、所持ギフト表示領域５４０には、利用者情報ＤＢ１２１において、「利用者識別情報」“Ａ００１”に関連付けて記憶されている「ギフト識別情報」に基づいて、当該「ギフト識別情報」に関連付けてギフト情報ＤＢ１２４に記憶されている「ギフト画像情報」と、「ギフト名称」と、「ポイント額」とが表示される。
【０２００】
ここで、かかるコミュニケーションシステム１では、例えば、利用者個人Ｗｅｂページ画像５００Ａ１の所持ギフト表示領域５４０において、上述する「ギフト情報」表示されることで、当該「ギフト情報」を、「利用者識別情報」“Ａ００１”で識別される利用者Ａ１が取得した画像として表示するように構成されている。
【０２０１】
また、所持ギフト表示領域５４０には、利用者情報ＤＢ１２１において、「利用者識別情報」“Ａ００１”に関連付けて記憶されている「取得ポイント総額」が表示される。
【０２０２】
フレンド表示領域５５０には、利用者情報ＤＢ１２１において、「利用者識別情報」“Ａ００１”に関連付けて記憶されている「フレンド情報」に含まれる「利用者識別情報」（例えば、“Ａ００２”）に基づいて、当該「利用者識別情報」“Ａ００２”に関連付けて記憶されている「自己画像情報」と、「ニックネーム」とが表示される。
【０２０３】
また、端末機１０ａでは、利用者検索領域５６０が、利用者Ａ１の所定の操作によって押下（例えば、クリック）されると、他の利用者個人Ｗｅｂページ画像を検索するための検索Ｗｅｂページ画像（図示せず）が表示される。
【０２０４】
また、端末機１０ａでは、当該検索Ｗｅｂページ画像において、他の利用者個人Ｗｅｂページ画像５００を、「ニックネーム」、「生年月日」、「性別」等のキーワードを入力して検索することができる。
【０２０５】
なお、本実施形態では、上述する検索を行って、他の利用者個人Ｗｅｂページ画像５００（例えば、利用者個人Ｗｅｂページ画像５００Ａ２）を表示させた場合を例に、ステップＳ１２の動作を説明する。
【０２０６】
また、端末機１０ａでは、ログアウト表示領域５７０が、利用者Ａ１の所定の操作によって押下（例えば、クリック）されると、コミュニケーションシステム１が提供するコミュニケーションサイトからログアウトされる。
【０２０７】
コミュニケーション表示領域５８０は、「この人にメッセージを送る」領域５８１と、「この人にフレンド要求する」領域５８２と、「この人とのフレンド解除する」領域５８３とを具備している。
【０２０８】
ここで、本実施形態に係るコミュニケーションシステム１では、「利用者識別情報」“Ａ００１”でログインした利用者Ａ１が使用する端末機１０ａにおいて、利用者Ａ１自身の利用者個人Ｗｅｂページ画像５００Ａ１を表示した場合、「この人にメッセージを送る」領域５８１と、「この人にフレンド要求する」領域５８２と、「この人とのフレンド解除する」領域５８３とは表示されない、
また、本実施形態に係るコミュニケーションシステム１では、「利用者識別情報」“Ａ００１”でログインした利用者Ａ１が使用する端末機１０ａにおいて、他の利用者個人Ｗｅｂページ画像５００Ａ２を表示した場合、上述するコミュニケーション表示領域５８０の「この人にメッセージを送る」領域５８１と、「この人にフレンド要求する」領域５８２と、「この人とのフレンド解除する」領域５８３とが表示される。
【０２０９】
なお、コミュニケーション表示領域５８０の詳細な説明については、後述するステップＳ１２の動作において説明する。
【０２１０】
図８のステップＳ１２において、利用者Ａ１が使用する端末機１０ａでは、上述する検索を行うことで、例えば、他の利用者個人Ｗｅｂページ画像５００Ａ２が表示される。
【０２１１】
また、利用者個人Ｗｅｂページ画像５００Ａ２には、利用者情報テーブルＴＡ００２に基づく、自己画像情報の表示領域５１０と、ニックネームの表示領域５２０と、プロフィールの表示領域５３０と、所持ギフト表示領域５４０と、フレンド表示領域５５０と、利用者検索領域５６０と、ログアウト表示領域５７０と、コミュニケーション表示領域５８０とを備えている。
【０２１２】
ここで、上述する利用者個人Ｗｅｂページ画像５００Ａ１は、利用者情報テーブルＴＡ００１に基づいて生成されたＷｅｂページ情報が表示されていたが、上述する利用者個人Ｗｅｂページ画像５００Ａ２は、利用者情報テーブルＴＡ００２に基づいて生成されたＷｅｂページ情報が表示される。
【０２１３】
また、上述する利用者個人Ｗｅｂページ画像５００Ａ２には、コミュニケーション表示領域５８０に、「この人にメッセージを送る」領域５８１と、「この人にフレンド要求する」領域５８２と、「この人とのフレンド解除する」領域５８３とが表示される。
【０２１４】
また、本実施形態にかかるコミュニケーションシステム１では、端末機１０ａにおいて表示される「この人にメッセージを送る」領域５８１が、利用者Ａ１の所定の操作によって押下（例えば、クリック）されると、後述するメッセージ情報送信処理が開始される。なお、メッセージ情報送信処理に関しては、詳細を後述する。
【０２１５】
さらに、本実施形態にかかるコミュニケーションシステム１では、端末機１０ａにおいて表示される「この人にフレンド要求する」領域５８２が、利用者Ａ１の所定の操作によって押下（例えば、クリック）されると、後述するフレンド登録処理が開始される。なお、フレンド登録処理に関しては、詳細を後述する。
【０２１６】
また、本実施形態にかかるコミュニケーションシステム１では、端末機１０ａにおいて表示される「この人とのフレンド解除する」領域５８３が、利用者Ａ１の所定の操作によって押下（例えば、クリック）されると、後述するフレンド解除処理が開始される。なお、フレンド解除処理に関しては、詳細を後述する。
【０２１７】
なお、かかるコミュニケーションシステム１では、端末機１０ａにおいて、「利用者識別情報」“Ａ００１”と「利用者識別情報」“Ａ００２”との間の関係種別が特定の関係種別であるフレンド関係である場合のみ、上述する「この人とフレンド解除する」領域５８３が、表示されてもよい。
【０２１８】
具体的に、本実施形態に係るコミュニケーションシステム１では、「利用者識別情報」“Ａ００１”の利用者Ａ１が使用する端末機１０ａにおいて、他の利用者個人Ｗｅｂページ画像５００Ａ２が表示される場合、表示されている利用者個人Ｗｅｂページ画像５００Ａ２に対応する利用者情報テーブルＴＡ００２において、記憶される「フレンド情報」に「利用者識別情報」“Ａ００１”が含まれている場合のみ、上述する「この人とフレンド解除する」領域５８３を表示してもよい。
【０２１９】
また、上述する構成のコミュニケーションシステム１における制御サーバ１００の各機能は、ハードウエアによって構成されていてもよいし、汎用マイクロプロセッサにより、各機能の処理を行うプログラムとして実現するように構成されていてもよい。
【０２２０】
（本実施形態に係るメッセージ情報送信処理の動作）
次に、図９乃至１２を参照して、コミュニケーションシステム１におけるメッセージ情報送信処理の動作について説明する。
【０２２１】
図９は、本実施形態に係るコミュニケーションシステム１におけるメッセージ情報送信処理の動作を示すシーケンス図である。
【０２２２】
ここで、本実施形態では、「利用者識別情報」“Ａ００１”で識別される利用者Ａ１が使用する端末機１０ａから、「利用者識別情報」“Ａ００２”で識別される利用者Ａ２が使用する端末機１０ｂへ、メッセージ情報が送信される場合を例に説明する。
【０２２３】
なお、本実施形態に係るコミュニケーションシステム１において、「利用者識別情報」“Ａ００１”と「利用者識別情報」“Ａ００２”との間の関係種別が、特定の関係種別ではない非フレンド関係である場合を例に、以下にメッセージ情報送信処理の動作を説明する。
【０２２４】
図９のステップＳ２１において、端末機１０ａでは、利用者Ａ１の所定の操作によって、メッセージ情報が生成されるとともに、当該メッセージ情報が、ネットワーク２を介して、制御サーバ１００へ送信される。
【０２２５】
具体的に、コミュニケーションシステム１では、端末機１０ａにおいて、表示される利用者個人Ｗｅｂページ画像５００Ａ２の「この人にメッセージを送る」領域５８１が、利用者Ａ１の所定の操作によって押下（例えば、クリック）されると、続いて、図１０の例に示すメッセージ入力Ｗｅｂページ画像６００が表示される。
【０２２６】
端末機１０ａにおいて、表示されるメッセージ入力Ｗｅｂページ画像６００には、メッセージ入力領域６１０と、メッセージ送信領域６２０とが備えられている。
【０２２７】
メッセージ入力領域６１０には、端末機１０ａにおいて、利用者Ａ１の所定の操作（例えば、キーボートを使用した入力）によってメッセージ文が入力可能に表示されている。
【０２２８】
また、メッセージ送信領域６２０が、利用者Ａ１の所定の操作（例えば、クリック）によって押下されると、端末機１０ａからネットワーク２を介して、制御サーバ１００へ、メッセージ情報が送信される。
【０２２９】
図９のステップＳ２３において、上述するメッセージ送信領域６２０が、利用者Ａ１の所定の操作（例えば、クリック）によって押下されると、端末機１０ａからネットワーク２を介して、制御サーバ１００へ、メッセージ情報が送信される。
【０２３０】
この時、送信されるメッセージ情報には、送信元の「利勝者識別情報」“Ａ００１”と、送信先の「利用者識別情報」“Ａ００２”と、入力されたメッセージ文とが含まれている。
【０２３１】
ステップＳ２４において、制御サーバ１００でメッセージ情報が受信されると、当該メッセージ情報に含まれる。
【０２３２】
また、制御サーバ１００は、受信したメッセージ情報を送信先の端末機１０ｂへ送信するか否かを判別する。
【０２３３】
ここで、ステップＳ２４における制御サーバ１００の具体的な動作について、図１１のフローチャートを参照して説明する。
【０２３４】
図１１のステップＳ２３１において、制御サーバ１００の通信部１１０は、ネットワーク２を介して、端末機１０ａから送信されたメッセージ情報を受信する。
【０２３５】
ステップＳ２３２において、関係種別判別部１４１は、通信部１１０で受信されたメッセージ情報に含まれる送信元の「利用者識別情報」“Ａ００１”に基づいて、利用者情報ＤＢ１２１における「利用者識別情報」“Ａ００１”に対応する利用者情報テーブルＴＡ００１を検出する。
【０２３６】
そして、関係種別判別部１４１は、検出した利用者情報テーブルＴＡ００１の「フレンド情報」に、当該メッセージ情報に送信先として含まれる「利用者識別情報」“Ａ００２”が含まれているか否かを判別する。
【０２３７】
ここで、関係種別判別部１４１では、検出した利用者情報テーブルＴＡ００１の「フレンド情報」に、当該メッセージ情報に送信先として含まれる「利用者識別情報」“Ａ００２”が、含まれていると判別した場合、「利用者識別情報」“Ａ００１”と、「利用者識別情報」“Ａ００２”との関係種別が特定の関係種別であるフレンド関係であると判別する。
【０２３８】
ステップＳ２３３において、関係種別判別部１４１は、ステップＳ２３３において、「利用者識別情報」“Ａ００１”と、「利用者識別情報」“Ａ００２”との関係種別がフレンド関係であると判別した場合、当該メッセージ情報を、通信部１１０とネットワーク２とを介して、送信先の「利用者識別情報」“Ａ００２”で識別される利用者Ａ２が使用する端末機１０ｂへ送信する。
【０２３９】
ステップＳ２３４において、関係種別判別部１４１は、関係種別判別部１４１で、メッセージ情報に含まれる送信元の「利用者識別情報」“Ａ００１”と、送信先の「利用者識別情報」“Ａ００２”との関係種別が、特定の関係種別を示すフレンド関係でない（非フレンド関係）と判別された場合、Ｗｅｂサービス提供部１６０は、端末機１０ａに対して、ギフトＷｅｂページ情報を送信する。
【０２４０】
本実施形態では、送信元の「利用者識別情報」“Ａ００１”と、送信先の「利用者識別情報」“Ａ００２”との関係種別を非フレンド関係として説明するので、制御サーバ１００において、ステップＳ２３４の動作が行われた場合を例に、図９におけるステップ２４以降の動作を説明する。
【０２４１】
図９のステップＳ２４において、上述するギフトＷｅｂページ情報を受信した端末機１０ａでは、図１２に示すギフト情報Ｗｅｂページ画像７００が表示される。図１２に示すように、ギフト情報Ｗｅｂページ画像７００には、ギフト画像領域７１０乃至７６０と、メッセージ送信領域７７０とが備えられている。
【０２４２】
ギフト画像領域７１０乃至７６０には、それぞれに、ギフト情報ＤＢ１２４に記憶される「ギフト識別情報」が関連付けられている。
【０２４３】
また、ギフト画像領域７１０乃至７６０には、それぞれに、ギフト画像領域と、ギフト名称領域と、ポイント額領域と、個別ギフト選択領域とが備えられている。
【０２４４】
ここで、ギフト画像領域７１０を例に上げて具体的に説明する。
【０２４５】
例えば、ギフト画像領域７１０のギフト画像領域７１１には、ギフト情報ＤＢ１２４において、「ギフト識別情報」（例えば、Ｇ００１）に関連付けられて記憶される「ギフト画像情報」（例えば、ギフト画像情報Ａ）が表示される。
【０２４６】
また、ギフト名称領域７１２には、ギフト情報ＤＢ１２４において、「ギフト識別情報」（例えば、Ｇ００１）に関連付けられて記憶される「ギフト名称」（例えば、ギフトＡ）が表示される。
【０２４７】
また、ポイント額表示領域７１３には、ギフト情報ＤＢ１２４において、「ギフト識別情報」（例えば、Ｇ００１）に関連付けられて記憶される「ポイント額」（例えば、１００ｍｓｑ）の値が表示される。
【０２４８】
また、ギフト画像領域７１０の個別ギフト選択領域７１４は、端末機１０ａにおいて、利用者Ａ１の所定の操作（例えば、クリック）によってチェックマークが入力可能に表示されている。
【０２４９】
なお、上述する個別ギフト選択領域は、ギフト画像領域７１０乃至７６０の中で、複数のギフト選択領域にチェックマークを入力可能に表示されている。
【０２５０】
また、本実施形態に係るコミュニケーションシステムでは、上述する個別ギフト選択領域にチェックマークが入力されている場合、端末機１０ａにおける利用者Ａ１の所定の操作（例えば、クリック）によって、メッセージ送信領域７７０が押下されると、端末機１０ａから、ネットワーク２を介して、制御サーバ１００へギフト選択情報が送信される。
【０２５１】
ステップＳ２５において、端末機１０ａにおける利用者Ａ１の所定の操作（例えば、クリック）によって、メッセージ送信領域７７０が押下され、端末機１０ａから、ネットワーク２を介して、制御サーバ１００へギフト選択情報が送信される。
【０２５２】
ここで、この時、送信されるギフト選択情報には、送信元の「利用者識別情報」“Ａ００１”と、送信先の「利用者識別情報」“Ａ００２”と、個別ギフト選択領域７１４で選択されたギフト情報に対応する「ギフト識別情報」（例えば、Ｇ００１）とが含まれている。ステップＳ２６において、制御サーバ１００は、端末機１０ａから送信されたギフト選択情報を受信する。
【０２５３】
ステップＳ２７において、制御サーバ１００は、受信したギフト選択情報に「ギフト識別情報」“Ｇ００１”が含まれているか否かを判定し、含まれている場合のみ、ステップＳ２２で受信したメッセージ情報を送信先の端末機１０ｂへ送信する。
【０２５４】
ここで、ステップＳ２７における制御サーバ１００の具体的な動作について、図１３のフローチャートを参照して説明する。
【０２５５】
ステップＳ２７１において、通信部１１０は、ギフト選択情報を受信する。
【０２５６】
ステップＳ２７２において、ギフト判別部１４２は、受信したギフト選択情報に「ギフト識別情報」が含まれているか否かを判定する。
【０２５７】
ステップＳ２７３において、ギフト判別部１４２は、ギフト選択情報に「ギフト識別情報」が含まれていないと判別した場合、ステップＳ２２で受信したメッセージ情報を送信せず、当該メッセージ情報を送信しない旨を示すエラー通知を、通信部１１０及びネットワーク２を介して、送信元の「利用者識別情報」“Ａ００１”の利用者Ａ１が使用する端末機１０ａへ送信する。
【０２５８】
また、
ステップＳ２７４において、ギフト判別部１４２は、ギフト選択情報に「ギフト識別情報」が含まれていると判別した場合、送信先の「利用者識別情報」“Ａ００２”で識別される利用者Ａ２が使用する端末機１０ｂに対して、通信部１１０及びネットワーク２を介して、ステップＳ２２で受信したメッセージ情報を送信する。
【０２５９】
ステップＳ２７５において、ギフト管理部１３３は、ギフト選択情報に含まれる送信先の「利用者識別情報」“Ａ００２”と「ギフト識別情報」とに基づいて、ギフト譲渡処理を実施する。
【０２６０】
具体的に、ギフト管理部１３３は、ギフト選択情報に含まれる送信先の「利用者識別情報」“Ａ００２”に基づいて、利用者情報ＤＢ１２１における「利用者識別情報」“Ａ００２”の利用者情報テーブルＴＡ００２を検出する。
【０２６１】
そして、ギフト管理部１３３は、検出した利用者情報テーブルＴＡ００２の「所持ギフト情報」に、ギフト選択情報に含まれる「ギフト識別情報」“Ｇ００１”を追加する。
【０２６２】
本実施形態に係るコミュニケーションシステム１では、ギフト管理部１３３が、利用者情報テーブルＴＡ００２の「所持ギフト情報」に、当該ギフト選択情報に含まれる「ギフト識別情報」“Ｇ００１”を追加することによって、「利用者識別情報」“Ａ００２”に対応する利用者情報テーブルＴＡ００２に基づいて生成された利用者個人Ｗｅｂページ画像５００Ａ２に、「ギフト識別情報」“Ｇ００１”に対応する「ギフト情報」が表示される。
【０２６３】
また、この時、ポイント管理部１５０は、ポイント消費処理を実施する。
【０２６４】
具体的に、ポイント管理部１５０は、通信部１１０において、端末機１０ａから、例えば、「ギフト識別情報」“Ｇ００１”を含むギフト選択情報が受信される場合、ギフト情報ＤＢ１２４を参照し、ギフト選択情報に含まれる「ギフト識別情報」“Ｇ００１”に関連付けて記憶されるポイント情報として、「ポイント額」“１００ｍｓｑ”の値を取得する。
【０２６５】
そして、ポイント管理部１５０は、当該ギフト選択情報に送信元として含まれる「利用者識別情報」“Ａ００１”に基づいて、利用者情報ＤＢ１２１における「利用者識別情報」“Ａ００１”に対応する利用者情報テーブルＴＡ００１を検出する。
【０２６６】
そして、ポイント管理部１５０は、検出した利用者情報テーブルＴＡ００１の「所持ポイント総額」から、取得した「ポイント額」“１００ｍｓｑ”の値を減算して更新する。
【０２６７】
また、この時、ポイント管理部１５０は、ポイント引渡処理を実施する。
【０２６８】
具体的に、ポイント管理部１５０は、ギフト情報ＤＢ１２４を参照し、ギフト選択情報に含まれる「ギフト識別情報」“Ｇ００１”に関連付けて記憶されるポイント情報として、「ポイント額」“１００ｍｓｑ”の値を取得する。
【０２６９】
そして、ポイント管理部１５０は、当該ギフト選択情報に送信先として含まれる「利用者識別情報」“Ａ００２”に基づいて、利用者情報ＤＢ１２１における「利用者識別情報」“Ａ００２”に対応する利用者情報テーブルＴＡ００２を検出する。
【０２７０】
そして、ポイント管理部１５０は、検出した利用者情報テーブルＴＡ００２の「取得ポイント総額」に、取得した「ポイント額」“１００ｍｓｑ”の値を加算して更新する。
【０２７１】
図９のステップＳ２８において、制御サーバ１００からステップＳ２７４において送信されたメッセージ情報が、送信先の端末機１０ｂで受信される。
【０２７２】
メッセージ情報を受信した端末機１０ｂでは、メッセージ受信Ｗｅｂページ画像（図示せず）に新たなメッセージを受信したことが表示される。
【０２７３】
また、当該メッセージ受信Ｗｅｂページ画像（図示せず）には、当該メッセージ情報と共に、ギフト識別情報を含むギフト選択情報が送られたことを、利用者Ａ２へ知らせるため、例えば、箱の形のアイコン画像や、当該ギフト識別情報に対応するギフト画像情報のサムネイル画像等を表示する。
【０２７４】
（本実施形態に係るフレンド登録処理の動作）
次に、図１４乃至１５を参照して、コミュニケーションシステム１のフレンド登録処理の動作について説明する。
【０２７５】
図１４は、本実施形態に係るコミュニケーションシステム１のフレンド登録処理の動作を示すシーケンス図である。
【０２７６】
ここで、本実施形態では、「利用者識別情報」“Ａ００１”で識別される利用者Ａ１が使用する端末機１０ａから、「利用者識別情報」“Ａ００２”で識別される利用者Ａ２が使用する端末機１０ｂへ、フレンド要求情報が送信される場合を例に説明する。
【０２７７】
なお、本実施形態に係るコミュニケーションシステム１において、「利用者識別情報」“Ａ００１”と「利用者識別情報」“Ａ００２”との間の関係種別が、特定の関係種別ではない非フレンド関係である場合を例に、以下にフレンド登録処理の動作を説明する。
【０２７８】
ステップＳ３１において、「利用者識別情報」“Ａ００１”で識別される利用者Ａ１が使用する端末機１０ａでは、利用者情報テーブルＴＡ００２に基づいて生成された利用者個人Ｗｅｂページ画像５００Ａ２が表示されている。
【０２７９】
そして、本実施形態に係るコミュニケーションシステム１では、端末機１０ａにおいて表示される「この人にフレンド要求する」領域５８２が、利用者Ａ１の所定の操作によって押下（例えば、クリック）されると、端末機１０ａから、ネットワーク２を介して、制御サーバ１００へ、フレンド要求情報が送信される。
【０２８０】
ここで、上述するフレンド要求情報とは、「利用者識別情報」“Ａ００１”と、「利用者識別情報」“Ａ００２”との関係種別を特定の関係種別（フレンド関係）への変更を要求する情報である。
【０２８１】
また、上述するフレンド要求情報には、要求元である「利用者識別情報」“Ａ００１”と、要求先である「利用者識別情報」“Ａ００２”とが含まれている。
【０２８２】
なお、かかるコミュニケーションシステムでは、上述する「この人にフレンド要求する」領域５８２が、利用者Ａ１の所定の操作によって押下（例えば、クリック）された時、図１０の例に示すメッセージ入力Ｗｅｂページ画像６００が表示されて、利用者Ａ１の所定の操作によってメッセージ文の入力が行われてもよい。
【０２８３】
かかる場合、コミュニケーションシステムでは、メッセージ送信領域６３０を利用者Ａ１の所定の操作によって押下（例えば、クリック）することで、メッセージ文を含むフレンド要求情報が、端末機１０ａから送信される。
【０２８４】
ステップＳ３２において、端末機１０ａからフレンド要求情報を受信した制御サーバ１００は、当該フレンド要求情報に含まれる要求先の「利用者識別情報」“Ａ００２”に基づいて、「利用者識別情報」“Ａ００２”の利用者Ａ２が使用する端末機１０ｂへ、当該フレンド要求情報を送信する。
【０２８５】
なお、このフレンド要求情報に、「ギフト識別情報」が含まれている場合、制御サーバ１００では、ギフト管理部１３３がギフト譲渡処理を実施し、ポイント管理部がポイント消費処理及びポイント引渡処理を実施する。
【０２８６】
ステップＳ３３において、フレンド要求情報を受信した端末機１０ｂでは、図１５の例に示す、フレンド要求Ｗｅｂページ画像８００が表示される。
【０２８７】
かかるフレンド要求Ｗｅｂページ画像８００は、メッセージ文領域８１０と、「フレンド要求を承諾」領域８２０とを備えている。
【０２８８】
かかるメッセージ文領域８１０には、フレンド要求情報に含まれるメッセージ文が表示される。
【０２８９】
そして、本実施形態に係るコミュニケーションシステム１では、端末機１０ｂにおいて表示される「フレンド要求を承諾」領域８２０が、端末機１０ｂの利用者Ａ２の所定の操作によって押下（例えば、クリック）されると、端末機１０ｂから、ネットワーク２を介して、制御サーバ１００へフレンド承諾情報が送信される。
【０２９０】
ここで、上述するフレンド承諾情報とは、「利用者識別情報」“Ａ００１”と、「利用者識別情報」“Ａ００２”との関係種別を特定の関係種別（フレンド関係）への変更を承諾する情報である。
【０２９１】
また、上述するフレンド承諾情報には、特定の関係種別であるフレンド関係の要求元である「利用者識別情報」“Ａ００１”と、要求先である「利用者識別情報」“Ａ００２”とが含まれている。
【０２９２】
ステップＳ３４において、端末機１０ｂから送信されたフレンド承諾情報は、制御サーバ１００の通信部１１０で受信される。
【０２９３】
ステップＳ３５において、関係種別更新部１３２は、通信部１１０において、特定の関係種別であるフレンド関係へ変更することを承諾するフレンド承諾情報が受信される。
【０２９４】
また、関係種別更新部１３２は、受信した当該フレンド承諾情報に含まれる要求元の「利用者識別情報」“Ａ００１”に基づいて、利用者情報ＤＢ１２１における「利用者識別情報」“Ａ００１”に対応する利用者情報テーブルＴＡ００１を検出する。
【０２９５】
そして、関係種別更新部１３２は、検出した利用者情報テーブルＴＡ００１の「フレンド情報」に、当該フレンド承諾情報に含まれる「利用者識別情報」“Ａ００２”を追加して更新する。
【０２９６】
また、続いて、関係種別更新部１３２は、受信した当該フレンド承諾情報に含まれる要求先の「利用者識別情報」“Ａ００２”に基づいて、「利用者識別情報」“Ａ００２”に対応する利用者情報テーブルＴＡ００２を検出する。
【０２９７】
そして、関係種別更新部１３２は、検出した利用者情報テーブルＴＡ００２の「フレンド情報」に、当該フレンド承諾情報に含まれる「利用者識別情報」“Ａ００１”を追加して更新する。
【０２９８】
上述する関係種別更新部１３２におけるフレンド登録処理によって、本実施形態に係るコミュニケーションシステム１では、第１の識別情報（例えば、「利用者識別情報」のＡ００１）と、第２の識別情報（例えば、「利用者識別情報」のＡ００２）との間の関係種別が、特定の関係種別であるフレンド関係へ変更される。
【０２９９】
ステップＳ３６において、制御サーバ１００の通信部１１０は、要求元の「利用者識別情報」“Ａ００１”で識別される利用者Ａ１が使用する端末機１０ａへ、特定の関係種別であるフレンド関係への変更が、承諾されたことを通知する。
【０３００】
（本実施形態に係るフレンド解除処理の動作）
次に、図１６を参照して、本実施形態に係るコミュニケーションシステム１のフレンド解除処理の動作について説明する。
【０３０１】
図１６は、本実施形態に係るコミュニケーションシステム１のフレンド解除処理の動作を示すシーケンス図である。
【０３０２】
ここで、本実施形態では、「利用者識別情報」“Ａ００１”で識別される利用者Ａ１が使用する端末機１０ａから、フレンド解除情報が送信される場合を例に説明する。
【０３０３】
なお、本実施形態に係るコミュニケーションシステム１において、「利用者識別情報」“Ａ００１”と「利用者識別情報」“Ａ００２”との間の関係種別が、特定の関係種別であるフレンド関係である場合を例に、以下にフレンド解除処理の動作を説明する。
【０３０４】
ステップＳ４１において、「利用者識別情報」“Ａ００１”で識別される利用者Ａ１が使用する端末機１０ａでは、他の利用者である利用者情報テーブルＴＡ００２に基づいて生成された利用者個人Ｗｅｂページ画像５００Ａ２が表示されている。
【０３０５】
そして、本実施形態に係るコミュニケーションシステム１では、端末機１０ａにおいて表示される「この人とのフレンド解除する」領域５８３が、利用者Ａ１の所定の操作によって押下（例えば、クリック）されると、端末機１０ａから、ネットワーク２を介して、制御サーバ１００へフレンド解除情報が送信される。
【０３０６】
ここで、ここで、上述するフレンド解除情報とは、「利用者識別情報」“Ａ００１”と、「利用者識別情報」“Ａ００２”との関係種別を特定の関係種別（非フレンド関係）への変更を要求する情報である。
【０３０７】
また、上述するフレンド解除情報には、要求元である「利用者識別情報」“Ａ００１”と、要求先である「利用者識別情報」“Ａ００２”とが含まれている。
【０３０８】
ステップＳ４２において、関係種別更新部１３２は、通信部１１０において、特定の関係種別であるフレンド関係の解除を要求するフレンド解除情報が受信される。
【０３０９】
また、関係種別更新部１３２は、受信した当該フレンド解除情報に含まれる要求元の「利用者識別情報」“Ａ００１”に基づいて、利用者情報ＤＢ１２１における「利用者識別情報」“Ａ００１”に対応する利用者情報テーブルＴＡ００１を検出するように構成されている。
【０３１０】
そして、関係種別更新部１３２は、検出した利用者情報テーブルＴＡ００１の「フレンド情報」から、当該フレンド解除情報に含まれる要求先の「利用者識別情報」“Ａ００２”を削除する。
【０３１１】
また、続いて、関係種別更新部１３２は、受信した当該フレンド解除情報に含まれる要求先の「利用者識別情報」“Ａ００２”に基づいて、「利用者識別情報」“Ａ００２”に対応する利用者情報テーブルＴＡ００２を検出する。
【０３１２】
そして、関係種別更新部１３２は、検出した利用者情報テーブルＴＡ００２の「フレンド情報」から、当該フレンド解除情報に含まれる要求元の「利用者識別情報」“Ａ００１”を削除する。
【０３１３】
上述する関係種別更新部１３２におけるフレンド解除処理によって、本実施形態に係るコミュニケーションシステム１では、「利用者識別情報」“Ａ００１”と、「利用者識別情報」“Ａ００２”との間の関係種別が、特定の関係種別であるフレンド関係から、特定の関係種別以外の非フレンド関係へ変更される。
【０３１４】
ステップＳ４３において、関係種別更新部１３２は、通信部１１０及びネットワーク２を介して、フレンド解除情報に含まれる解除先の「利用者識別情報」“Ａ００２”で識別される利用者Ａ２が使用する端末機１０ｂへ、「利用者識別情報」“Ａ００１”とのフレンド関係が解除されたことを通知する。
【０３１５】
なお、本実施形態では、フレンド解除情報が、端末機１０ａから送信される場合を例に、上述するフレンド解除処理を説明したが、当該フレンド解除情報は、フレンド関係である他方の「利用者識別情報」“Ａ００２”で識別される利用者Ａ２が使用する端末機１０ｂから送信される場合であっても、上述するフレンド解除処理が実施される。
【０３１６】
（本実施形態に係るコミュニケーションシステム１の効果）
本実施形態に係るコミュニケーションシステム１によれば、例えば、「利用者識別情報」“Ａ００１”と、「利用者識別情報」“Ａ００２”との間において、特定の関係種別を示すフレンド関係でない場合、制御サーバ１００は、「利用者識別情報」“Ａ００１”で識別される利用者Ａ１が使用する端末機１０ａを送信元とし、「利用者識別情報」“Ａ００２”で識別される利用者Ａ２が使用する端末機１０ｂを送信先とするメッセージ情報において、ギフト識別情報を含むギフト選択情報が受信されないと、当該メッセージ情報を送信先の端末機１０ｂへ送信しない。
【０３１７】
よって、本実施形態に係るコミュニケーションシステム１によれば、当該メッセージ情報とともに、ギフト識別情報を含むギフト選択情報が、より多く送信されるようになる。
【０３１８】
また、かかるコミュニケーションシステム１では、ギフト選択情報に含まれるギフト識別情報に対応するギフト情報が、送信先の「利用者識別情報」に対応する利用者個人Ｗｅｂページ５００に表示されるので、ギフト情報がより多くの利用者個人Ｗｅｂページ５００に表示されるようになるとともに、当該ギフト情報を話題とした利用者同士のコミュニケーションを推進することができる。
【０３１９】
また、本実施形態に係るコミュニケーションシステム１によれば、ギフト選択情報に含まれるギフト識別情報に対応するポイント額を、メッセージ情報の送信先である「利用者識別情報」“Ａ００２”で識別される利用者Ａ２に引渡しすることができる。
【０３２０】
よって、本実施形態に係るコミュニケーションシステム１によれば、仮想通貨であるポイントの使用量を向上させるとともに、引渡しされた当該ポイント情報の話題等によっても、利用者同士のコミュニケーションを推進することができる。
【０３２１】
また、本実施形態に係るコミュニケーションシステム１によれば、制御サーバ１００において、「利用者識別情報」“Ａ００１”で識別される利用者Ａ１が使用する端末機１０ａから送信されるフレンド要求情報（関係種別要求情報）と、当該フレンド要求情報（関係種別要求情報）に対して、「利用者識別情報」“Ａ００２”で識別される利用者Ａ２が使用する端末機１０ｂから送信されるフレンド承諾情報（関係種別承諾情報）とが受信されると、「利用者識別情報」“Ａ００１”と「利用者識別情報」“Ａ００２”との関係種別を特定の関係種別を示す関係種別情報（フレンド関係）に変更する。
【０３２２】
よって、かかるコミュニケーションシステム１によれば、制御サーバ１００において、利用者Ａ１と利用者Ａ２との間における関係種別を、フレンド関係に変更する場合、第１の利用者と第２の利用者との両者の合意が必要になるため、合意に至るまでに、両者の間でメッセージ情報及びギフト識別情報を含むギフト選択情報が送受信されるので、ギフト識別情報及びポイント情報が提供及び引渡しされる機会が多くなる。
【０３２３】
したがって、かかるコミュニケーションシステム１によれば、ギフト識別情報に対応するギフト情報がプレゼントとしてより流通されるとともに、仮想通貨であるポイントの使用量を向上させることができる。
【０３２４】
また、かかるコミュニケーションシステム１によれば、制御サーバ１００は、利用者Ａ１が使用する端末機１０ａ、又は、利用者Ａ２が使用する端末機１０ｂから、フレンド解除情報（特定関係種別解除情報）を受信すると、「利用者識別情報」“Ａ００１”と「利用者識別情報」“Ａ００２”との関係種別を特定の関係種別を示すフレンド情報（非フレンド関係）に変更する。
【０３２５】
よって、かかる発明によれば、フレンド関係を解除されることを願わない利用者は、メッセージ情報に含まれるメッセージ文の内容に配慮するようになるため、コミュニケーションのマナーの低下を低減できる。
【図面の簡単な説明】
【０３２６】
【図１】本実施形態に係るコミュニケーションシステム１の概略構成を示す図である。
【図２】本実施形態に係る利用者情報テーブルのイメージを示す図である。
【図３】本実施形態に係る所持ギフト情報のイメージを示す図である。
【図４】本実施形態に係るフレンド情報のイメージを示す図である。
【図５】本実施形態に係るギフト情報テーブルのイメージを示す図である。
【図６】本実施形態に係るポイント購入Ｗｅｂページ画像４００のイメージを示す図である。
【図７】本実施形態に係るコミュニケーションシステム１の動作を示すフローチャートである。
【図８】本実施形態に係る利用者個人Ｗｅｂページ画像５００のイメージを示す図である。
【図９】本実施形態に係るコミュニケーションシステム１のメッセージ情報送信処理の動作を示すシーケンス図である。
【図１０】本実施形態に係るメッセージ入力Ｗｅｂページ画像６００のイメージを示す図である。
【図１１】本実施形態に係るコミュニケーションシステム１のメッセージ情報送信処理の動作を示すシーケンス図である。
【図１２】本実施形態に係るギフト情報Ｗｅｂページ画像７００のイメージを示す図である。
【図１３】本実施形態に係るコミュニケーションシステム１の動作を示すフローチャートである。
【図１４】本実施形態に係るコミュニケーションシステム１のフレンド登録処理の動作を示すシーケンス図である。
【図１５】本実施形態に係るフレンド要求Ｗｅｂページ画像８００のイメージを示す図である。
【図１６】本実施形態に係るコミュニケーションシステム１のフレンド解除処理動作を示すシーケンス図である。
【符号の説明】
【０３２７】
Ｓ１０乃至Ｓ１２…ステップ、Ｓ２１乃至Ｓ２８…ステップ、Ｓ３１乃至Ｓ３６…ステップ、Ｓ４１乃至Ｓ４３…ステップ、Ｓ２３１乃至Ｓ２３４…ステップ、Ｓ２７１乃至Ｓ２７５…ステップ、Ｔ００１〜Ｔｎｎｎ…利用者情報テーブル、１…コミュニケーションシステム、２…ネットワーク、１０ａ〜ｎ…端末機、１０ａ１…制御部、１０ａ２…表示部、１０ａ３…入力部、１００…制御サーバ、１１０…通信部、１２０…記憶部、１２１…利用者情報ＤＢ、１２２…ＷｅｂページＤＢ、１２３…メッセージＤＢ、１２４…ギフト情報ＤＢ、１３０…利用者情報管理部、１３１…登録管理部、１３２…関係種別更新部、１３３…ギフト管理部、１４０…メッセージ情報管理部、１４１…関係種別判別部、１４２…ギフト判別部、１５０…ポイント管理部、１６０…Ｗｅｂサービス提供部、４００乃至８００…Ｗｅｂページ画像、４１０乃至４５０…表示領域、５００…利用者個人Ｗｅｂページ画像、５１０乃至５８０…表示領域、５８１乃至５８３…表示領域、６１０乃至６２０…表示領域、７１０乃至７７０…表示領域、７１１乃至７１４…表示領域、８１０乃至８２０…表示領域
【図１】
2007213516.tif 000003
【図２】
2007213516.tif 000004
【図３】
2007213516.tif 000005
【図４】
2007213516.tif 000006
【図５】
2007213516.tif 000007
【図６】
2007213516.tif 000008
【図７】
2007213516.tif 000009
【図８】
2007213516.tif 000010
【図９】
2007213516.tif 000011
【図１０】
2007213516.tif 000012
【図１１】
2007213516.tif 000013
【図１２】
2007213516.tif 000014
【図１３】
2007213516.tif 000015
【図１４】
2007213516.tif 000016
【図１５】
2007213516.tif 000017
【図１６】
2007213516.tif 000018